(57)【要約】【課題】冷陰極平面蛍光灯の操作ではウォール・チャージが形成され、このために駆動電圧を高くするので、発光効率が悪くなり、プラズマの不安定を引起す。また高圧駆動は電磁波障害（ＥＭＩ）が重大となる。【解決手段】少なくとも二つの電極を有する冷陰極平面蛍光灯とその駆動方法を提供する。これは二つの電極に電圧波形（レベル、形状、スロープ、及び周波数）を印加する。該電圧波形は、（ａ）双極性電圧波形を有する；（ｂ）ランプ体電極に施すレベルは多重レベルを有する；（ｃ）電圧波形の上昇及び下降スロープは制御可能である；（ｄ）波形の電圧レベルは定値ではなく、持続的に変形できる；（ｅ）電圧波形の周波数は変動可能であり且つ摂動特性を有する；（ｆ）ランプ体の光出力を調整する機能を有する等の構成を有する。【選択図】図３
2006228725.tif 000002
【特許請求の範囲】
【請求項１】
少なくとも第一の電極及び第二の電極を備えてなる冷陰極平面蛍光灯（ＣＣＦＦＬ）の駆動方法であって、
（ａ）前記第二の電極の電圧を参考電圧とする速度で前記第一の電極の電圧をリフトするステップと、
（ｂ）一時間間隔内においてリフトされた前記第一の電極の電圧を維持するステップと、
（ｃ）少なくとも一回ステップ（ａ）及び（ｂ）を重複して前記第一の電極の電圧を一電圧極値に達しさせるステップと、
（ｄ）前記速度で前記第一の電極の電圧を降下するステップと、
（ｅ）前記時間間隔内において前記第一の電極の電圧を維持するステップと、
（ｆ）少なくとも一回ステップ（ｄ）及び（ｅ）を重複して前記第一の電極の電圧を原電圧レベルに回復させるステップと、
（ｇ）前記第一の電極の電圧を参考電圧として、ステップ（ｂ）〜（ｆ）の方式で前記第二の電極の電圧をリフトして該第一の電圧極値に達した後、再度原電圧レベルに回復させるステップと、
を備えてなることを特徴とする駆動方法。
【請求項２】
前記速度は、９．３ボルト／ミリセコンドに等しいか又はそれ以上であり、
前記時間間隔は、０．３マイクロセコンドに等しいか又はそれ以上であり、及び／又は、
前記電圧極値は、２０００ボルトである、
ことを特徴とする請求項１記載の駆動方法。
【請求項３】
前記ステップ（ｃ）は更に電圧差で前記電圧極値をリフトするステップを備え、
前記電圧差は５０ボルトに等しいか又はそれ以上であり、且つ２００ボルトに等しいか又はそれ以下であり、及び／又は、
前記冷陰極平面蛍光灯の駆動周波数は一周波数値付近の増減範囲内に制御され、これにより該冷陰極平面蛍光灯を駆動し、該周波数値は３０キロヘルツに等しいか又はそれ以上であり、且つ９０キロヘルツに等しいか又はそれ以下であり、前記増減範囲は３キロヘルツに等しいか又はそれ以上であり、且つ５キロヘルツに等しいか又はそれ以下である、
ことを特徴とする請求項１記載の駆動方法。
【請求項４】
前記駆動方法は更に、前記冷陰極平面蛍光灯に含まれた電極の電圧起動及び不起動の時間効率（ｄｕｔｙ）を制御することにより、該冷陰極平面蛍光灯の光出力を調整するステップを備えることを特徴とする請求項１記載の駆動方法。
【請求項５】
少なくとも第一の電極及び第二の電極を有するランプと、
その片側が前記第一の電極及び第二の電極にカップリングした変圧器と、
前記変圧器の他側にカップリングして、請求項1の駆動方法に基づいて該変圧器を介して前記ランプを駆動するフル・ブリッジ回路と、
を備えてなることを特徴とする冷陰極平面蛍光灯。
【請求項６】
前記変圧器は、共振インダクタンス及びキャパシティを介して該変圧器にカップシングされることを特徴とする請求項６に記載の冷陰極平面蛍光灯。
【請求項７】
前記フル・ブリッジ回路は更に入力電圧にカップシングされており、
前記フル・ブリッジ回路はモス電界効果トランジスタにより構成され、
前記フル・ブリッジ回路は前記ランプの駆動周波数を周波数値付近の増減範囲内に制御して、該ランプを駆動し、及び／又は、
前記フル・ブリッジ回路は前記ランプに含まれた該電極の電圧起動及び不起動の時間効率（ｄｕｔｙ）を制御して、該ランプの光出力を調整する、
ことを特徴とする請求項６記載の冷陰極平面蛍光灯。
【発明の詳細な説明】
【技術分野】
【０００１】
本発明は、冷陰極平面蛍光灯及びその駆動方法に関し、特に、液晶表示器のバック・ライト・ソースに応用される冷陰極平面蛍光灯の駆動方法に関する。
この駆動方法はバック・ライト・ソースに制限されず、冷陰極平面蛍光灯光源を応用したもの、例えば広告照明、指示及び緊急照明等はいずれも本発明の応用分野に属する。
【背景技術】
【０００２】
近年、液晶表示器（ＬＣＤ）の製造技術が日増しに成熟し、同時に全世界の各大きな工場が大型化の生産設備の研究開発及び採用に没頭しているので、液晶表示器の品質が絶えず向上し、中でも、最も期待及び注目されるのは液晶テレビジョンである。ディジタル・テレビジョンが普及し、その技術的手段がだんだん広く採用される潮流下において、液晶テレビジョンは既にネクスト・ウェーブのテレビジョン転向潮流の主体となっている。
【０００３】
一般には液晶表示器は、自己発光できない表示系統であるので、バック・ライト・ソースを光源として採用しなければならない。現行のバック・ライト・ソースは、複数の独立した冷陰極細ランプにより組合せられたバック・ライト・モジュールを応用しているが、マルチ・ランプのバック・ライト・モジュールがマルチ・ランプの線光源である故に、バック・ライト・モジュール全体は比較的厚い拡散板を使用し、ランプから離れた比較的高い所に位置して光線を均一化させる必要があった。
【０００４】
これは表示モジュールの厚さ及びモジュールの温度を大幅に増加する外、長時間の高輝度、高温度の操作も各ランプの光出力の減衰率を加速させ、より厳重なのは、各ランプの減衰率が同一でないので、高輝度大サイズの液晶表示器のバック・ライト・モジュールはある間隔時間の経過後輝度不均一の現象に直面した。これら欠点を克服するために市場には既に平面ランプを液晶表示器のバック・ライト・ソースとする技術が出現している。
【０００５】
図１は、冷陰極平面蛍光灯（ＣＣＦＦＬ）の発光見取図である。図１に示すように、冷陰極平面蛍光灯１０は上ガラス板１１と、下ガラス板１２と、金属電極１３及び１４と、ランプ内の封入ガス（図示せず）とにより構成されてなり、その中、金属電極１３及び１４をランプ体外部に置いて外部電極冷陰極平面蛍光灯を形成することも出来る。
【０００６】
冷陰極平面蛍光灯１０の発光原理は、電圧を金属電極１３及び１４に印加して電子を発射又は吸引すると、電子がランプ内の不活性ガスの分子を衝撃してガス分子を励起させてプラズマを形成する。そして、ガス分子が基底状態に復帰する際に紫外線が発生し、これがランプの管壁内の蛍光粉末を励起して可視光線が発生する。
【０００７】
従来の冷陰極平面蛍光灯は、図２に示すように単極性パルス電圧の方式を採用して駆動を行っていた。図２は従来の冷陰極平面蛍光灯の駆動パルス電圧及びランプ電流の波形図である。
【発明の開示】
【発明が解決しようとする課題】
【０００８】
図２に示すように、この駆動方式は単極電圧を採用して駆動しているので、単一光線出力しか形成できない。この種の単極性パルス電圧を使用する方式は下記の改善すべき欠点を有する。
（１）使用される駆動方式が極性を固定する単一パルス電圧であるので、操作時間の増加につれて、封入ガス分子の遊離により発生した正、負イオンは電極付近に寄り集まり、且つ堆積してウォール・チャージを形成してしまい、このために後続の駆動電圧を高くしないと同様の駆動機能を得られないので、発光効率が悪くなり、且つランプ面の温度が上昇することとなって、容易にランプ体の働きによるプラズマの不安定を引起す。
（２）冷陰極平面蛍光灯は高圧駆動（駆動電圧は通常２Ｋｖより大きい）を採用しているので、それによる電磁波障害（Electromagnetic  Interference，ＥＭＩ）が重大となり、将来バック・ライト・モジュールに組立てた後、ＥＭＩ／ＥＭＣ防止規則に容易に適合しない事態を招く。
【課題を解決するための手段】
【０００９】
本発明の主たる目的は、冷陰極平面蛍光灯の発光効率を向上すると共に、高駆動電圧によりもたらした電磁波障害を低下させることにある。
本発明の次の目的は、従来の冷陰極平面蛍光灯において単一極性パルス電圧の駆動方式によりもたらした正、負イオンが電極付近に堆積する現象を改善することにある。
【００１０】
本発明の主たるアイディアは、正負極性の電圧波形を電極の上に提供する外、一定スロープの上昇又は下降を有し及び周期が同一であるが位相が反対のパルス電圧を提供し、多重レベル電圧方式を配合及び各レベル電圧を利用して達した後、一間隔時間持続することにより、電極付近に堆積したウォール・チャージを除去する。
自己放電を増加するために、各レベル毎の電圧は持続的に上昇又は下降の機能を有しており、この増加した電圧を使用して管壁上に累積されるウォール・チャージ電圧を克服し、ランプが持続的に放電を維持できるようにさせ、発光効率を増加する。
【００１１】
本発明の更なるアイディアは、冷陰極平面蛍光灯の駆動を、操作主周波数付近に軽微摂動を付加するように制御して、高駆動電圧の電磁波障害を低下させる。また、ランプ体を調整する光出力を有するために、本発明は同時に管電圧の操作と不操作との時間比率を制御することにより、光出力を調整することができる。
本発明の主要アイディアに基づいて、以下の提供される新型駆動方式を説明する。
【００１２】
（１）駆動電圧は双極性特性を有する。
【００１３】
（２）駆動電圧レベルは多重位置型式を有しており、図３及び図５を例にとれば二つのレベル電圧を有しているが、本発明は二つのレベルに限らず多重レベルを包含し、実際の操作の需要に応じ決定される。
【００１４】
（３）一位置電圧レベルから次の位置電圧レベルに変化する時に放電を誘発し、一間隔時間Δｔを持続して次の放電に必要なウォール・チャージを累積する。しかる後、一位置電圧から次の位置電圧に降下した時、別の自己放電を誘発して効果的にウォール・チャージの累積を除去すると共に、光出力を増加する。
【００１５】
（４）ある位置電圧の維持時間Δｔ内において、もし持続的に印加された電圧が増加又は減少すると、ウォール・チャージを累積したためにもたらした電圧を克服して、放電を持続させることが出来る。この場合、放電に外部電流を供給する必要がなく、大幅にランプ体の発光効率を改善することが出来る。
【００１６】
（５）本発明により設計された駆動電圧周期又は周波数は摂動の特性を有しており、プラズマの不安定現象を減少できるばかりでなく、更に電磁波障害の抑制において明らかな改善効果を有する。
【００１７】
（６）本発明により提供される駆動方式は操作と不操作との時間の比率を調整することにより、必要な光出力を調整することが出来る。
【００１８】
上記目的を達成するために本発明により提供される、第一の電極及び第二の電極を備えてなる冷陰極平面蛍光灯（ＣＣＦＦＬ）の駆動方法は、（ａ）該第二の電極の電圧を参考電圧とする速度で該第一の電極の電圧をリフトするステップと、（ｂ）一時間間隔内においてリフトされた該第一の電極の電圧を維持するステップと、（ｃ）少なくとも一回ステップ（ａ）及び（ｂ）を重複して該第一の電極の電圧を一電圧極値に達しさせるステップと、（ｄ）該速度で該第一の電極の電圧を降下するステップと、（ｅ）該時間間隔内において該第一の電極の電圧を維持するステップと、（ｆ）少なくとも一回ステップ（ｄ）及び（ｅ）を重複して該第一の電極の電圧を原電圧レベルに回復させるステップと、（ｇ）該第一の電極の電圧を参考電圧として、ステップ（ｂ）〜（ｆ）の方式で該第二の電極の電圧をリフトして該第一の電圧極値に達した後、再度原電圧レベルに回復させるステップと、を備えてなる（請求項１に対応）。
【００１９】
上記本発明の駆動方法において、該速度は、９．３ボルト／ミリセコンドに等しいか又はそれ以上であり、該時間間隔は、０．３マイクロセコンドに等しいか又はそれ以上であり、該電圧極値は、２０００ボルトである（請求項２に対応）。
【００２０】
また、上記発明の駆動方法において、ステップ（ｃ）は更に電圧差で該電圧極値をリフトするステップを備え、該電圧差は５０ボルトに等しいか又はそれ以上であり、且つ２００ボルトに等しいか又はそれ以下であり、該冷陰極平面蛍光灯の駆動周波数は一周波数値付近の増減範囲内に制御され、これにより該冷陰極平面蛍光灯を駆動し、該周波数値は３０キロヘルツに等しいか又はそれ以上であり、且つ９０キロヘルツに等しいか又はそれ以下であり、該増減範囲は３キロヘルツに等しいか又はそれ以上であり、且つ５キロヘルツに等しいか又はそれ以下である（請求項３に対応）。
【００２１】
また、上記本発明の駆動方法はさらに、該冷陰極平面蛍光灯に含まれた電極の電圧起動及び不起動の時間比率を制御することにより、該冷陰極平面蛍光灯の光出力を調整するステップを備える（請求項４に対応）。
【００２２】
さらには、上記目的を達成するために本発明により提供される冷陰極平面蛍光灯（ＣＣＦＦＬ）は、少なくとも第一の電極及び第二の電極を有するランプと、その片側が該第一の電極及び第二の電極にカップリングした変圧器と、該変圧器の他側にカップリングして、請求項１の駆動方法に基づいて該変圧器を介して該ランプを駆動するフル・ブリッジ回路とを備えてなる（請求項５に対応）。
【００２３】
上記本発明の例陰極平面蛍光灯において、該変圧器は、共振インダクタンス及びキャパシティを介して該変圧器にカップシングされる（請求項６に対応）。
【００２４】
上記本発明の冷陰極平面蛍光灯において、該フル・ブリッジ回路は更に入力電圧にカップシングされており、該フル・ブリッジ回路はモス電界効果トランジスタ（ＭＯＳ・ＦＥＴ）により構成され、該フル・ブリッジ回路は該ランプの駆動周波数を周波数値付近の増減範囲内に制御して、該ランプを駆動し、該フル・ブリッジ回路は該ランプに含まれた該電極の電圧起動及び不起動の時間比率を制御して、該ランプの光出力を調整する（請求項７に対応）。
【発明の効果】
【００２５】
効果的にウォール・チャージの累積を除去すると共に、光出力を増加させる。
放電に外部電流を供給する必要がなく放電を持続させることが出来、大幅にランプ体の発光効率を改善することが出来る。
プラズマの不安定現象を減少できるばかりでなく、更に電磁波障害の抑制において明らかな改善効果を有する。
操作と不操作との時間の比率を調整することにより、必要な光出力を調整することが出来る。
【発明を実施するための最良の形態】
【００２６】
以下、添付図面を参照しながら詳細に説明することにより、本発明は一層理解される。
本発明は先行技術の欠点を改善するために、新しい駆動電圧波形及び駆動条件を提供する。
図３は、本発明の冷陰極平面蛍光灯の駆動方法において多重レベル電圧特性を有する実施例のランプ電圧波形、ランプ電流波形、及び光出力のタイム・チャート図である。
【００２７】
冷陰極平面蛍光灯は少なくとも二つの電極を有しているので、冷陰極平面蛍光灯を駆動する場合、電極に対して駆動電圧を印加しなければならない。本発明の駆動方式は、重ね合わせ波形電圧を印加する方式により、冷陰極平面蛍光灯の電極を順番に駆動する点において、先ず先行技術と相違している。
【００２８】
物理的に説明すれば、本発明の制御方法は二段階に分けられ、その中：第一の段階は電極の電圧を参考電圧とし、次に一速度で他の電極の電圧を上げ、一間隔時間内においてその電圧を維持し、数回重複してリフトした後、該電圧を一電圧極値に達しさせ、しかる後、同一方法で該電圧を降下して、原電圧レベルに回復させる；
第二の段階は、第一の段階に完成したばかりのリフト−降下過程の電極を参考電極として、同一方式で第一の段階において参考電極とされた電極の電圧をリフト−降下する。
【００２９】
図３の最上方の波形図は、第一の電極を観察対象としたものであり、これについて説明する。
先ず、第一の電極に対して図３に示すような重ね合わせ波形を入力する。この場合、第二の電極の電圧を参考電圧とする。
【００３０】
第一の電極について説明すれば、先ず第一の電極の電圧をリフト（ａ点から開始する）し、電圧極値（約２Ｋｖ）に達した後、再度第一の電極の電圧を降下して原電圧レベル（ｂ点）に回復させる。
【００３１】
次に、再度第一の電極の電圧を参考電圧として、同一の方式で第二の電極の電圧をリフトし（第一の電極の波形図から見れば第二の電極の電圧を保持するのが第一の電極の電圧を降下するのに相当する）、該電圧極値２Ｋｖ（第一の電極の立場から見れば第一の電極の電圧が約−２Ｋｖになるのに相当する）に達した後、再度第二の電極の電圧を降下して原電圧レベルに回復させる（第一の電極の波形図から見れば第一の電極の電圧を保持するが第一の電極の電圧をｃ点までにリフトするのに相当する）。
ここで注意すべきところは、本発明の駆動方式は電圧を一回リフト及び降下の方式で達成できる外、図３の実施例のように、電圧を二回以上リフト及び降下の方式で達成することも出来る。唯重要なのは、電圧のリフト及び降下の速度を制御しなければならない点にある。これは、誘電層の放電機制にとって、放電時における電圧は主要因素ではなく、電圧の上昇又は下降の速率こそ最も重要な因素である。
【００３２】
一般には、電圧が一回リフトの方式で徐々に２Ｋｖ（−２Ｋｖ）以上（以下）に上昇（降下）してから、放電が展開される。しかしながら、もし図３に示すように、∂ｖ／∂ｔが９．３ｖ／ｍｓｅｃに等しく又はそれ以上の速率で二段階の電圧上昇又は下降に分けると、放電電圧に達しなくても放電できる。当然、電圧のリフト及び降下の段階数をより多くすることもできる。
【００３３】
したがって、順番に両電極に対して一半波を入力することにより、電極付近に堆積したウォール・チャージを除去することができ、ひいては消耗パワーを降下して、発光効率を向上すると同時に、パネル温度を降下することが出来る。従来技術では単極波がロードされた時に、ウォール・チャージはややもすれば反対極性で電極上に付着するので、この場合除去しないと、印加すべき電圧が大きくなる事態を招く。これに対して本発明の技術は、双極波がロードされた時、電圧極性が逆方向の同時時に、元来のウォール・チャージにより形成された電界が逆方向電圧による電界と一致するので、ウォール・チャージを除去して、駆動電圧を降下することが出来る。
【００３４】
本発明の駆動方式と先行技術の駆動方式との第二の相違する技術特徴は、各回の昇圧又は降圧後、いずれも一定を必要とするアイドル・タイムを有しており、これによりランプの電圧を一定値に維持することである。
図３に示すように、各回毎の昇圧及び降圧後いずれも−ΔＴ（０．３〜２μｓ）のアイドル・タイムを有しており、これによりウォール・チャージを電極に安定させ、このようにしてから次回の放電を完全に進行することが出来る。
【００３５】
該インタバルのアイドル・タイムが存在しているからこそ、ランプ電流波形タイム・チャート図において、電圧リフトしたために発生した主要放電電流を有するばかりでなく、定額外に自己放電の反応電流を増加することも出来る。また、二段階の昇圧故に、その放電電流の倍増をもたらし、光出力も同時に倍増する。したがって、ランプの輝度を向上し、効率を増加することが出来る。
【００３６】
本発明の駆動方式と先行技術の駆動方式との第三の相違する技術特徴は、正負半波のロードと同時に、元来が最高電圧及び最低電圧である水平維持電圧を、電圧微量増加（負圧は降下）５０〜２００ｖの形態とし、維持放電（sustaining  discharge）を形成することにある。したがって、図４（本発明の冷陰極平面蛍光灯の駆動方法の第二の実施例であるランプ電圧波形、ランプ電流波形及び光出力波形のタイム・シリーズ図である）に示すように、輝度を向上すると共に、発光効率を向上することが出来る。
【００３７】
図には、なお電圧をリフトしたために発生した主要放電電流が存在しているが（ｆ点）、電圧極値を維持するこの段階にはランプ電流が存在していない（ｇ点）。しかしながら、光出力では（ｈ区）が増加した。つまり、この電圧微量増加の作用により、ｈ区の光出力波形の右翼スロープの降下を来たし、ｈ区中の光出力波形及びＸ軸で囲まれた面積（ｈ区中の光出力）を増加させる。
【００３８】
図５は、本発明の冷陰極平面蛍光灯の駆動方法の第三の実施例である。ランプ電圧波形、ランプ電流波形、及び光出力波形のタイム・チャート図である。これは上記３技術特徴を同時に実施した見取図である。
【００３９】
本発明の駆動方式と先行技術の駆動方式との第四の相違する技術特徴は、冷陰極平面蛍光灯の駆動周波数を主周波数値付近の増減範囲内に制御することにより、該冷陰極平面蛍光灯を駆動することにある。
一般に、冷陰極平面蛍光灯の駆動電圧は、いずれも非常に高く（１Ｋｖよりも大きい）、中にも無水銀の平面光源の駆動電圧は特に高く、操作される主周波数値は大部分が３０〜９０ＫＨｚである。けれども、この周波数範囲内では最も容易に高周波数共振を引起すので、容易に灯面発光の不安定をもたらす外、高圧下において操作しているので、容易にＥＭＩの影響をもたらす。したがって、本発明は図６に示すように、主周波数が６５ＫＨｚ（ｈ区）であるのを例にとれば、実際の駆動電圧周波数は３〜５ＫＨｚの変化量中でトリップしており、単純に６５ＫＨｚの下に固定されるものではない。こうすれば、音波共振作用の発生がなく、且つ周波数に微少の変化を起こさせたためにエネルギーの不集中を起こし、これによりＥＭＩの作用を低減した。
【００４０】
本発明の駆動方式と先行技術の駆動方式との第五の相違する技術特徴は、パルス幅変調技術（Ｐｕｌｓｅ−ｗｉｄｔｈ  Ｍｏｄｕｌａｔｉｏｎ，ＰＷＭ）を使用して光出力の目的を達成、つまりランプ電圧の操作と不操作との時間効率（ｄｕｔｙ）を制御することにより光出力を調整することにある。
図７はランプ電圧波形、ランプ電流波形、及び光出力波形のタイム・シリーズ図であり、ランプを時には動かし又は停止するように制御する。光出力はパルセート特性を有しているが、蛍光粉末およびフィルタ片により光出力パルセートを肉眼で見えない程度まで低減すれば、実際の光出力及びランプ・パワーは明らかに下降する。
【００４１】
図８は、本発明による冷陰極平面蛍光灯の中の一実施方式の回路構造図である。図において、冷陰極平面蛍光灯８０は安定器８１と、ランプ８２（抵抗で表わす）と、高圧変圧器Ｔにより構成され、その中ランプ８２の両端はそれぞれ第一の電極及び第二の電極を表わし、そして安定器は４個のカップリングしたモス電界効果トランジスタＳ１，Ｓ２，Ｓ３，Ｓ４により構成されたフル・ブリッジ回路と、共振インダクタンスＬｒと、キャパシティＣｂとにより構成され、該フル・ブリッジ回路は更に入力電圧Ｖｓに接続されている。
【００４２】
図８に示す構造によれば、安定器８１におけるフル・ブリッジ回路の各スイッチは適当な切換を行い、変圧器Ｔを介してランプ８２に対し上記に詳述された波形を入力する。当然、本発明はその中の一種の実施方式に過ぎず、電子回路に熟知した技術者であれば、種々異なった回路構造により同様な効果を達成することができる。この場合の制御方式及び駆動方法はいずれも本発明の範囲を逸脱しない。
【００４３】
要するに、本発明による冷陰極平面蛍光灯の駆動方法は、局部的に輝度放電を制御することにより全面発光の目的を達成すると共に、最良の正負型重ね合わせ式半波の駆動波形及び関連条件に適合して、その光出力効率を向上させ、温度を有効範囲内に制御できると共に、駆動電圧周波数の摂動によりＥＭＩの作用を低下させることが出来る。本発明の利点は、ランプ体の発光効率を増加し、ランプ体の温度を降下することにより、調光機能を具備し、電磁波障害を低下させる効果を有する。特に冷陰極平面蛍光灯の応用に適用され、これにより現有駆動方式の欠点を解決できる。
【図面の簡単な説明】
【００４４】
【図１】冷陰極平面蛍光灯の発光見取図である。
【図２】従来の冷陰極平面蛍光灯の駆動パルス電圧及びランプ電流の波形図である。
【図３】本発明の冷陰極平面蛍光灯の駆動方法において多重レベル電圧特性を有する実施例のランプ電圧波形、ランプ電流波形、及び光出力波形のタイム・チャート図である。
【図４】本発明の冷陰極平面蛍光灯の駆動方法において自己放電特性を有する実施例のランプ電圧波形、ランプ電流波形、及び光出力波形のタイム・チャート図である。
【図５】本発明の冷陰極平面蛍光灯の駆動方法において多重レベル電圧及び自己放電を有する実施例のランプ電圧波形、ランプ電流波形、及び光出力波形のタイム・チャート図である。
【図６】本発明の冷陰極平面蛍光灯の駆動方法において電磁干渉及び放電不安定を改善する実施例のランプ電圧波形、ランプ電流波形、及び光出力波形のタイム・チャート図である。
【図７】冷陰極平面蛍光灯の調光駆動方法においてパイプ電圧操作及び不操作の時間比率を有する実施例のランプ電圧波形、ランプ電流波形、及び光出力波形のタイム・チャート図である。
【図８】本発明による冷陰極平面蛍光灯の回路構造図である。
【符号の説明】
【００４５】
１０、８０  冷陰極平面蛍光灯
１１  上ガラス板
１２  下ガラス板
１３、１４  金属電極
８１  安定器
８２  ランプ
Ｖｓ  入力電圧
Ｔ  変圧器
Ｌｒ  共振インダクタンス
Ｃｂ  キャパシティ
Ｓ１、Ｓ２、Ｓ３、Ｓ４  モス電界トランジスタ（ＭＯＳ・ＦＥＴ）
【図１】
2006228725.tif 000003
【図２】
2006228725.tif 000004
【図３】
2006228725.tif 000005
【図４】
2006228725.tif 000006
【図５】
2006228725.tif 000007
【図６】
2006228725.tif 000008
【図７】
2006228725.tif 000009
【図８】
2006228725.tif 000010